(57)【要約】【課題】通常運用中においてもＴＳ信号を途切らせることなく系統間遅延調整を行えるようにし、迅速なＳＦＮ網の復旧を可能にして保守性を向上させる。【解決手段】ＴＳ信号伝送遅延時間調整装置１０は、伝送されたＴＳ信号をクロック信号と共に入力し、そのクロック信号に同期してＴＳ信号を遅延させて出力することにより、ＴＳ信号の伝送遅延時間を調整する。遅延調整用メモリ１１は、入力されたＴＳ信号を成すＴＳデータをデータ書き込みクロックに同期して書き込むと共に、そのＴＳデータをデータ読み出しクロックに同期して読み出す。ＰＬＬ回路１２は、入力されたクロック信号に同期してデータ書き込みクロックを生成する。ＰＬＬ回路１３は、データ書き込みクロックに同期しかつ可変設定された周波数のデータ読み出しクロックを生成する。制御回路１４は、ＴＳ信号の伝送遅延時間に応じてデータ読み出しクロックの周波数を可変設定する。【選択図】図１
2008278151.tif 000002
【特許請求の範囲】
【請求項１】
伝送されたＴＳ信号をクロック信号と共に入力し、そのクロック信号に同期して前記ＴＳ信号を遅延させて出力することによりＴＳ信号の伝送遅延時間を調整する装置であって、
入力された前記ＴＳ信号を成すＴＳデータをデータ書き込みクロックに同期して書き込むと共に、書き込んだＴＳデータをデータ読み出しクロックに同期して読み出す遅延時間調整用メモリと、
入力された前記クロック信号に同期して前記データ書き込みクロックを生成する第１のクロック生成手段と、
前記データ書き込みクロックに同期し、かつ、可変設定された周波数の前記データ読み出しクロックを生成する第２のクロック生成手段と、
前記ＴＳ信号の伝送遅延時間に応じて前記第２のクロック生成手段により生成されるデータ読み出しクロックの周波数を可変設定する制御手段とを有することを特徴とするＴＳ信号伝送遅延時間調整装置。
【請求項２】
前記制御手段は、前記ＴＳ信号の伝送遅延時間を所定時間とする場合に前記データ読み出しクロックの周波数を前記データ書き込みクロックの周波数と同一とし、前記ＴＳ信号の伝送遅延時間を前記所定時間よりも小さくする場合に前記データ読み出しクロックの周波数を前記データ書き込みクロックの周波数よりも高くするように可変設定することを特徴とする請求項１に記載のＴＳ信号伝送遅延時間調整装置。
【請求項３】
前記制御手段は、前記ＴＳ信号の伝送遅延時間を前記所定時間よりも大きくする場合に前記データ読み出しクロックの周波数を前記データ書き込みクロックの周波数よりも低くするように可変設定することを特徴とする請求項２に記載のＴＳ信号伝送遅延時間調整装置。
【請求項４】
前記第１のクロック生成手段は、第１のＰＬＬ回路で構成され、
前記第２のクロック生成手段は、与えられた周波数設定値に応じて前記データ読み出しクロックの周波数を可変設定する第２のＰＬＬ回路で構成されることを特徴とする請求項１から３のいずれか１項に記載のＴＳ信号伝送遅延時間調整装置。
【請求項５】
伝送されたＴＳ信号をクロック信号と共に入力し、そのクロック信号に同期して前記ＴＳ信号を遅延させて出力することによりＴＳ信号の伝送遅延時間を調整する装置の動作方法であって、
入力された前記クロック信号に同期してデータ書き込みクロックを生成し、
前記データ書き込みクロックに同期し、かつ、可変設定された周波数のデータ読み出しクロックを生成し、
入力された前記ＴＳ信号を成すＴＳデータを前記データ書き込みクロックに同期して遅延時間調整用メモリに書き込むと共に、前記遅延時間調整用メモリに書き込んだＴＳデータを前記データ読み出しクロックに同期して読み出し、
前記ＴＳ信号の伝送遅延時間に応じて前記データ読み出しクロックの周波数を可変設定することを有することを特徴とするＴＳ信号伝送遅延時間調整装置の動作方法。
【請求項６】
前記ＴＳ信号の伝送遅延時間を所定時間とする場合に前記データ読み出しクロックの周波数を前記データ書き込みクロックの周波数と同一とし、前記ＴＳ信号の伝送遅延時間を前記所定時間よりも小さくする場合に前記データ読み出しクロックの周波数を前記データ書き込みクロックの周波数よりも高くするように可変設定することを特徴とする請求項５に記載のＴＳ信号伝送遅延時間調整装置の動作方法。
【請求項７】
前記ＴＳ信号の伝送遅延時間を前記所定時間よりも大きくする場合に前記データ読み出しクロックの周波数を前記データ書き込みクロックの周波数よりも低くするように可変設定することを特徴とする請求項６に記載のＴＳ信号伝送遅延時間調整装置の動作方法。
【請求項８】
請求項１から４のいずれか１項に記載のＴＳ信号伝送遅延時間調整装置を有することを特徴とする地上デジタル放送送信システム。
【発明の詳細な説明】
【技術分野】
【０００１】
本発明は、ＴＳ信号の伝送時間を調整するＴＳ信号伝送遅延時間調整装置及びその動作方法並びに地上デジタル放送送信システムに関する。
【背景技術】
【０００２】
地上デジタル放送システムでは、複数の送信所から同一の周波数で放送を行っても、受信側で混信することなく受信可能なＳＦＮ網（Single Frequency Network：単一周波数網）を構築できる。ＳＦＮは、逼迫する電波資源の有効利用に効果的である。ＳＦＮを行うためには、受信地点で、各送信所からの電波受信タイミングがある範囲内（ガードインターバル以内）であることが必要である。このため、地上デジタル放送送信システムでは、通常、遅延時間を調整するための装置又は回路が必要になる。一般的な地上デジタル放送送信システムのブロック図を図３と図４に示す。
【０００３】
図３は、マイクロ波（無線）回線を複数使用してＳＦＮを行う場合の地上デジタル放送送信システムのブロック図である。この地上デジタル放送送信システムは、図３（ａ）に示す放送局本社に置かれる放送局本社（スタジオ）システム１１０と、図３（ｂ）に示す複数の送信所（図中の例では送信所１、２）に置かれる送信所システム１２０とを有する。
【０００４】
図３（ａ）に示す放送局本社システム１１０では、放送ＴＳ（Transport Stream）データを構成する複数のＴＳ信号が地上デジタル放送用スタジオＲｅ−ＭＵＸ（再多重化）装置１１１にて多重化される。そして、その多重化ＴＳ信号が基準クロック信号と共に６４ＱＡＭ（Quadrature Amplitude Modulation）変調器１１２によりデジタル変調されてＩＦ（Intermediate Frequency）信号に変換される。さらに、そのＩＦ信号が送信変換器１１３にてＲＦ（Radio Frequency）信号に変換され、そのＲＦ信号が送信アンテナ１１４を介してマイクロ波回線経由で送信される。
【０００５】
図３（ｂ）に示す送信所システム１２０では、送信所毎にマイクロ波回線経由で送信されてくるＲＦ信号が受信アンテナ１２１で受信されると、そのＲＦ信号が受信変換器１２２にＩＦ信号に変換される。そのＩＦ信号は、６４ＱＡＭ復調器１２３にてデジタル復調されてＴＳ信号及びクロック信号に変換される。そして、その変換されたＴＳ信号に対し、遅延調整装置１２４にて、クロック信号に従い遅延時間が調整される。遅延調整されたＴＳ信号は、デジタルテレビ送信機１２５により送信アンテナ１２６を介してＳＦＮ受信エリアに送信される。
【０００６】
図４は、光回線を複数使用してＳＦＮを行う場合の地上デジタル放送送信システムのブロック図である。同図に示す地上デジタル放送送信システムは、図４（ａ）に示す放送局本社に置かれる放送局本社（スタジオ）システム２１０と、図４（ｂ）に示す複数の送信所（図中の例では送信所１、２）に置かれる送信所システム２２０とを有する。
【０００７】
図４（ａ）に示すに示す放送局本社システム２１０では、放送ＴＳデータを構成する複数のＴＳ信号が地上デジタル放送用スタジオＲｅ−ＭＵＸ装置２１１にて多重化される。その多重化ＴＳ信号は、基準クロック信号と共に複数の光回線（図中の例では光回線１、２）毎に並列に設けられた６４ＱＡＭ変調器２１２にてＩＦ信号に変換される。そして、そのＩＦ信号は、Ｅ／Ｏ（Electrical/Optical：電気／光）変換器（光端局）２１３にて電気信号から光信号に変換され、その光信号が光回線毎に送信される。
【０００８】
図４（ｂ）に示す送信所システム２２０では、送信所毎に光回線経由で送信されてくる光信号がＯ／Ｅ（Optical/Electrical：光／電気）変換器（光端局）２１１にて電気信号のＩＦ信号に変換される。そのＩＦ信号は、６４ＱＡＭ復調器２２２にてＴＳ信号及びクロック信号に変換される。そして、その変換されたＴＳ信号に対し、遅延調整装置２２３にて、クロック信号に従い遅延時間が調整される。遅延調整されたＴＳ信号は、デジタルテレビ送信機２２４により送信アンテナ２２５を介してＳＦＮ受信エリアに送信される。
【０００９】
図３及び図４において、送信所まで送られた放送ＴＳ（Transport Stream）データは、デジタルテレビ送信機１２５、２２４に入力される前に遅延調整装置１２４、２２３で送信所毎に設定された遅延時間が与えられる。なお、地上デジタル放送では、システム全体が同一クロックに同期して動作する必要があるため、ＴＳ信号のみならずクロック信号も伝送される。
【００１０】
図５は、上記の地上デジタル放送送信システムで用いる遅延調整装置の内部構成を示すブロック図である。
【００１１】
図５に示す遅延調整装置３００は、遅延時間調整用メモリ（以下、「遅延メモリ」）３０１と、入力されたクロック信号からＴＳ信号処理クロック（データ書き込み／読み出しクロック）を生成するＰＬＬ（Phase Locked Loop）回路３０２とを備えている。
【００１２】
ＰＬＬ回路３０２は、位相比較器、ループフィルタ、及び電圧制御発振器（ＶＣＯ）を有する。位相比較器は、入力された基準信号となるクロック信号と、その比較信号となるＶＣＯ出力（又はＶＣＯ出力を分周器で分周した出力）との位相差を検出する。ＶＣＯは、その位相差が一定になるようにフィードバック制御され、その発振周波数が調整される。これにより、ＰＬＬ回路３０２は、クロック信号に同期したＶＣＯ出力、すなわちＴＳ信号処理クロックを生成し、遅延メモリ３０１に供給する。
【００１３】
遅延メモリ３０１は、ＰＬＬ回路３０２からのＴＳ信号処理クロック、すなわちデータ書き込み／読み出しクロックに同期したタイミングで、入力されたＴＳデータを書き込む。そして、遅延メモリ３０１は、その書き込まれたＴＳデータをＰＬＬ回路３０２からのデータ書き込み／読み出しクロックに同期したタイミングで読み出す。
【００１４】
図６は、図５に示す遅延調整装置３００の遅延動作を説明する図である。図６の例では、遅延メモリ３０１内に５バイトのＴＳデータを蓄積し、読み出しているため、遅延時間が５クロックの遅延回路になっている。同図に示すように、入力されるＴＳデータ（ＤＡＴＡ１〜１５）は、ＰＬＬ回路３０２からのデータ書き込み／読み出しクロックに同期して遅延メモリ３０１内に１バイトのデータ毎に書き込まれる。
【００１５】
図６の例では、データ書き込み／読み出しクロックに同期したタイミングに従い、先頭から５バイトのＴＳデータ（ＤＡＴＡ１〜５）が順次書き込まれる。次いで、遅延メモリ３０１に書き込まれた５バイトのＴＳデータ（ＤＡＴＡ１〜５）は、その次のデータ書き込み／読み出しクロックから順次読み出される。そして、その次のＴＳデータ（ＤＡＴＡ６〜１０）が遅延メモリ３０１内に順次書き込まれていく。これにより、遅延メモリ３０１に書き込まれたＴＳデータがそのデータ書き込みタイミングから５クロック分遅延したデータ読み出しタイミングで読み出される。
【００１６】
ここで、複数の伝送系統、送信機を使用してＳＦＮ網を構築する場合、各送信所からの送信タイミングを厳密に管理する必要がある。このため、システム運用中に回線異常や経路切替などの理由である伝送路の伝送遅延時間変動が発生した場合には、再度、複数の伝送系統間のＴＳ信号伝送遅延時間を調整する必要がある。
【００１７】
図７は、このような場合に図５に示す遅延調整装置３００の遅延調整時の動作を説明するものである。図７の例では、ＴＳ信号伝送遅延時間を小さくする場合、例えば５クロック（図６参照）から４クロックに変更する場合を説明するものである。この場合、データ書き込み／読み出しクロックに同期して遅延メモリ３０１内に書き込まれる５バイト分のＴＳデータ（ＤＡＴＡ１〜５）に対し、途中の１バイトのＴＳデータ（ＤＡＴＡ４）を読み捨てて、残りの４バイトのＴＳデータ（ＤＡＴＡ１〜３、５）を読み出す。これにより、伝送遅延時間を変更している。
【００１８】
一方、ＴＳ信号伝送遅延時間を大きくする場合、例えば５クロックから６クロックに変更する場合は、遅延メモリ３０１内に書き込まれた５バイトのＴＳデータ（ＤＡＴＡ１〜５）に対し、途中に１バイトのＴＳデータ読み出し時間に対応する待ち時間を入れて読み出す。これにより、ＴＳ信号伝送遅延時間を変更している。
【００１９】
上記のような遅延時間調整に関連して、特許文献１には、ＯＦＤＭ（直交周波数分割多重）信号を任意の時間遅延させ複数の送信所間の時間差を解消することを課題としたＯＦＤＭ信号遅延装置が記載されている。この遅延装置は、ＯＦＤＭ信号を受けてこれをデジタル信号に変換するＡ／Ｄコンバータと、このデジタル信号を外部から与えられた所定時間に応じてメモリ領域に格納し再び読み出すメモリ装置と、読み出されたデジタル信号をアナログ信号に変換するＤ／Ａコンバータとを有している。
【特許文献１】特開２０００−２６９９２７号公報
【発明の開示】
【発明が解決しようとする課題】
【００２０】
上記のようなＴＳ信号伝送遅延時間の調整方式では、運用中に回線異常や経路切替などの理由である伝送路の伝送遅延時間変動が発生した場合、再度、複数の伝送系統間のＴＳ信号伝送遅延時間を調整する必要がある。このため、遅延調整装置が持つ遅延メモリ内のデータを読み捨てる、あるいは読み出し待ち時間を入れる必要がある。
【００２１】
いずれの場合も、遅延メモリ出力から読み出されるＴＳデータは不連続になるため、遅延時間補正を行う送信所のカバーする受信エリアでは、一時的に受信ができなくなる、すなわち受信画像にブロックノイズなどが表れるという問題がある。このため、遅延時間がずれた場合の遅延調整は放送休止中に行う必要がある。この場合、各送信所から受信する電波のタイミングがずれたままになるため、ＳＦＮ受信エリアでは、遅延調整が行われるまで放送の受信ができなくなる可能性がある。その理由は、遅延調整装置の遅延メモリへのデータの書き込み、読み出しとも同一かつ固定周波数のクロックを使用しているためである。
【００２２】
このように、伝送経路や回線障害の発生により伝送遅延時間を調整する場合、データの読み飛ばし（遅延時間を短くする場合）、読み待ち（遅延を大きくする場合）を行っている。このため、ＴＳデータが途切れ、一時的な受信障害を引き起こし、放送中には遅延調整を行うことが難しいという問題が発生する。
【００２３】
本発明の目的は、通常運用中においてもＴＳ信号を途切らせることなく系統間遅延調整を行えるようにし、迅速なＳＦＮ網の復旧を可能にして保守性を向上させることができるＴＳ信号伝送遅延時間調整装置及びその動作方法並びに地上デジタル放送送信システムを提供することにある。
【課題を解決するための手段】
【００２４】
上記目的を達成するために、本発明に係るＴＳ信号伝送遅延時間調整装置は、伝送されたＴＳ信号をクロック信号と共に入力し、そのクロック信号に同期して前記ＴＳ信号を遅延させて出力することによりＴＳ信号の伝送遅延時間を調整する装置であって、入力された前記ＴＳ信号を成すＴＳデータをデータ書き込みクロックに同期して書き込むと共に、書き込んだＴＳデータをデータ読み出しクロックに同期して読み出す遅延時間調整用メモリと、入力された前記クロック信号に同期して前記データ書き込みクロックを生成する第１のクロック生成手段と、前記データ書き込みクロックに同期し、かつ、可変設定された周波数の前記データ読み出しクロックを生成する第２のクロック生成手段と、前記ＴＳ信号の伝送遅延時間に応じて前記第２のクロック生成手段により生成されるデータ読み出しクロックの周波数を可変設定する制御手段とを有することを特徴とする。
【００２５】
本発明において、前記制御手段は、前記ＴＳ信号の伝送遅延時間を所定時間とする場合に前記データ読み出しクロックの周波数を前記データ書き込みクロックの周波数と同一とし、前記ＴＳ信号の伝送遅延時間を前記所定時間よりも小さくする場合に前記データ読み出しクロックの周波数を前記データ書き込みクロックの周波数よりも高くするように可変設定してもよい。前記制御手段は、前記ＴＳ信号の伝送遅延時間を前記所定時間よりも大きくする場合に前記データ読み出しクロックの周波数を前記データ書き込みクロックの周波数よりも低くするように可変設定してもよい。前記第１のクロック生成手段は、第１のＰＬＬ回路で構成され、前記第２のクロック生成手段は、与えられた周波数設定値に応じて前記データ読み出しクロックの周波数を可変設定する第２のＰＬＬ回路で構成されてもよい。
【００２６】
本発明に係るＴＳ信号伝送遅延時間調整装置の動作方法は、伝送されたＴＳ信号をクロック信号と共に入力し、そのクロック信号に同期して前記ＴＳ信号を遅延させて出力することによりＴＳ信号の伝送遅延時間を調整する装置の動作方法であって、入力された前記クロック信号に同期してデータ書き込みクロックを生成し、前記データ書き込みクロックに同期し、かつ、可変設定された周波数のデータ読み出しクロックを生成し、入力された前記ＴＳ信号を成すＴＳデータを前記データ書き込みクロックに同期して遅延時間調整用メモリに書き込むと共に、前記遅延時間調整用メモリに書き込んだＴＳデータを前記データ読み出しクロックに同期して読み出し、前記ＴＳ信号の伝送遅延時間に応じて前記データ読み出しクロックの周波数を可変設定することを有することを特徴とする。
【００２７】
本発明において、前記ＴＳ信号の伝送遅延時間を所定時間とする場合に前記データ読み出しクロックの周波数を前記データ書き込みクロックの周波数と同一とし、前記ＴＳ信号の伝送遅延時間を前記所定時間よりも小さくする場合に前記データ読み出しクロックの周波数を前記データ書き込みクロックの周波数よりも高くするように可変設定してもよい。前記ＴＳ信号の伝送遅延時間を前記所定時間よりも大きくする場合に前記データ読み出しクロックの周波数を前記データ書き込みクロックの周波数よりも低くするように可変設定してもよい。
【００２８】
本発明に係る地上デジタル放送送信システムは、上記いずれかに記載のＴＳ信号伝送遅延時間調整装置を有することを特徴とする。
【発明の効果】
【００２９】
本発明によれば、通常運用中においてもＴＳ信号を途切らせることなく系統間遅延調整を行えるようにし、迅速なＳＦＮ網の復旧を可能にして保守性を向上させることができるＴＳ信号伝送遅延時間調整装置及びその動作方法並びに地上デジタル放送送信システムを提供することができる。
【発明を実施するための最良の形態】
【００３０】
以下、本発明の実施例に係るＴＳ信号伝送遅延時間調整装置及びその動作方法並びに地上デジタル放送送信システムについて、図面を参照して詳細に説明する。
【００３１】
図１を参照すると、本実施例に係るＴＳ信号伝送遅延時間調整装置（以下、「遅延調整装置」）１０は、地上デジタル放送送信システムに適用されるものである。例えば、前述した図３に示すマイクロ波回線を用いた地上デジタル放送送信システムの送信所システム１２０に用いる場合は、遅延調整装置１２４に適用される。また、前述した図４に示す光回線を用いた地上デジタル放送送信システムの送信所システム２２０に用いる場合は、遅延調整装置２２３に適用される。その他の構成は図３及び図４と同様であるため、その説明を省略する。
【００３２】
図１に示す本実施例の遅延調整回路１０は、伝送されたＴＳ信号をクロック信号と共に入力し、そのクロック信号に同期してＴＳ信号を遅延させて出力することによりＴＳ信号の伝送遅延時間を調整する。具体的には、遅延時間調整用メモリ（以下、「遅延メモリ」）１１と、入力されたクロック信号に同期して所定周波数のＴＳ信号処理クロック（以下、データ書き込みクロック）を生成するＰＬＬ回路１２とを有する。
【００３３】
この構成に加え、本実施例の遅延調整回路１０は、ＰＬＬ回路１２からのＴＳ信号処理クロックに同期して、可変設定された所定周波数のデータ読み出しクロックを生成する可変周波数ＰＬＬである周波数設定機能付きＰＬＬ回路１３と、ＰＬＬ回路１３に対して周波数を設定する周波数設定用制御回路１４とを有している。
【００３４】
遅延メモリ１１は、遅延調整回路１０に入力されたＴＳ信号を成すＴＳデータを、ＰＬＬ回路１２からのデータ書き込みクロックに同期したタイミングで書き込む。そして、遅延メモリ１１は、その書き込んだＴＳデータをＰＬＬ回路１３からのデータ読み出しクロックに同期したタイミングで読み出し、遅延調整回路１０から出力する。
【００３５】
ＰＬＬ回路１２は、位相比較器、ループフィルタ（ローパスフィルタ）、及び電圧制御発振器（ＶＣＯ）を有する。位相比較器は、入力された基準信号となるクロック信号と、その比較信号となるＶＣＯ出力（又は分周器で分周されたＶＣＯ出力）との位相差を検出する。ＶＣＯは、その位相差が一定になるようにフィードバック制御によりその発振周波数が調整される。これにより、ＰＬＬ回路１２は、クロック信号に同期した所定周波数のＶＣＯ出力、すなわちデータ書き込みクロックを生成し、そのデータ書き込みクロックを遅延メモリ１１及びＰＬＬ回路１３に供給する。なお、ＰＬＬ回路１２は、本発明の第１のクロック生成手段及び第１のＰＬＬ回路に対応する。
【００３６】
ＰＬＬ回路１３は、位相比較器、ループフィルタ（ローパスフィルタ）、及び電圧制御発振器（ＶＣＯ）に加え、本実施例では位相比較器の比較信号となるＶＣＯ出力を制御回路１４の周波数設定値に応じた可変分周数（整数値）で分周する可変分周器（プログラマル分周器）を有する。位相比較器は、ＰＬＬ回路１２から入力された基準信号となるデータ書き込みクロックと、その比較信号となる、可変分周器で分周されたＶＣＯ出力との位相差を検出する。ＶＣＯは、その位相差が一定になるようにフィードバック制御によりその発振周波数が調整される。これにより、ＰＬＬ回路１３は、データ書き込みクロックに同期し、かつ、可変設定された周波数のＶＣＯ出力、すなわちデータ読み出しクロックを生成し、そのデータ読み出しクロックを遅延メモリ１１に供給する。なお、ＰＬＬ回路１３は、本発明の第２のクロック生成手段及び第２のＰＬＬ回路に対応する。
【００３７】
制御回路１４は、例えばＰＬＬ回路１３内の可変分周器の分周数を可変設定することにより、ＰＬＬ回路１３のＶＣＯ出力となるデータ読み出しクロックの周波数を可変設定する機能を有する。なお、制御回路１４は、本発明の制御手段に対応する。
【００３８】
次に、図２を用いて、本実施例の動作について説明する。
【００３９】
まず、地上デジタル放送送信システムにおいて、放送局本社システムから各送信所にＴＳ信号がクロック信号と共に伝送される（前述参照）。その伝送されてきたＴＳ信号のデータは、送信所システム内の遅延調整回路１０に入力され、そのＴＳ入力（ＴＳデータ）が、順次、遅延メモリ１１に書き込まれる。このとき、遅延メモリ１１内のＴＳデータの書き込み動作は、ＰＬＬ回路１２によりクロック信号に同期して生成された所定周波数のデータ書き込みクロックに同期して行われる。
【００４０】
このように遅延メモリ１１に書き込まれたＴＳデータは、送信所毎に設定されたＴＳ信号の伝送遅延時間遅延して読み出され、遅延調整回路１０から出力され、ＴＳ出力となる。このとき、遅延メモリ１１内からのＴＳデータの読み出し動作は、ＰＬＬ回路１３によりデータ書き込みクロックに同期して生成されたデータ読み出しクロックに同期して行われる。この場合、ＰＬＬ回路１３からのデータ読み出しクロックの周波数は、ＰＬＬ回路１２からのデータ書き込みクロックの周波数と同一である。図２の例では、遅延調整回路１０は、遅延メモリ１１内に５バイトのデータを蓄積し、読み出しているため、伝送遅延時間が５クロック（所定時間）の遅延回路になっている。
【００４１】
ここで、地上デジタル放送送信システムの運用中に回線異常や経路切替などの理由である伝送路の伝送遅延時間変動が発生し、各送信所で、再度、複数の伝送系統間の伝送遅延時間を調整する場合を説明する。
【００４２】
まず、上記遅延調整動作に際し、遅延調整回路１０のＴＳ信号伝送遅延時間を所定時間（５クロック）よりも小さくする場合、例えば５クロックから４クロックに変更する場合を考える。この場合は、制御回路１４の周波数設定により、図２に示すように、ＰＬＬ回路１３からのデータ読み出しクロックの周波数をデータ書き込みクロックの周波数よりも高くなるように一時的に上げる。すなわち、遅延メモリ１１へのデータ書き込み速度よりもデータ読み出し速度を早くする。その結果、遅延メモリ１１内に蓄えられるデータの数が減少するので、遅延メモリ１１内のデータが４バイトになった時点で、データ読み出しクロックの周波数を元の周波数、すなわちデータ書き込みクロックの周波数に戻す。これにより、遅延調整動作を終了する。従って、この場合には、遅延メモリ１１内のデータを読み捨てる（読み飛ばす）必要がないため、ＴＳ信号を途切らせることなくＴＳ信号伝送遅延時間を変更することができる。
【００４３】
一方、遅延調整回路１０のＴＳ信号伝送遅延時間を所定時間（５クロック）よりも大きくする場合、例えば５クロックから６クロックに変更する場合を考える。この場合は、制御回路１４の周波数設定により、ＰＬＬ回路１３からのデータ読み出しクロックの周波数をデータ書き込みクロックの周波数よりも低くなるように一時的に下げる。すなわち、遅延メモリ１１へのデータ書き込み速度よりもデータ読み出し速度を遅くする。その結果、遅延メモリ１１内に蓄えられるデータの数が増加するので、遅延メモリ１１内のデータが６バイトになった時点で、データ読み出しクロックの周波数を元の周波数、すなわちデータ書き込みクロックの周波数に戻す。これにより、遅延調整動作を終了する。従って、この場合には、読み出し待ち時間を入れる必要がないため、ＴＳ信号を途切らせることなくＴＳ信号伝送遅延時間を変更することができる。
【００４４】
以上のように、本実施例では、遅延メモリ１１にＴＳデータを書き込むために使用するクロック生成用のＰＬＬ回路１２に加えて、遅延メモリ１１からＴＳデータを読み出すために使用するクロック生成用のＰＬＬ回路１３を独立して持つ。すなわち、遅延時間調整用に可変周波数ＰＬＬであるＰＬＬ回路１３を用意し、その出力を遅延メモリ１１からのデータ読み出しクロックに使用する。これにより、ＴＳ信号の伝送遅延時間を小さくする場合には、遅延メモリ１１からのデータ読み出しクロックの周波数を一時的に高く、またＴＳ信号の伝送遅延時間を大きくする場合には、データ読み出しクロックの周波数を一時的に低く設定する。そして、目標となるＴＳ信号伝送遅延時間に調整が完了した段階で、データ読み出しクロックの周波数を元の周波数、すなわちデータ書き込みクロックの周波数と同一にする。こうすることで、遅延調整動作を完了する。
【００４５】
従って、本実施例によれば、ＴＳ信号伝送遅延時間を調整する際に、ＴＳ信号の入出力遅延時間に応じて、データ読み出しクロックの周波数を可変している。こうすることで、遅延メモリ１１内のＴＳデータを読み捨てる、あるいは読み出し待ち時間を入れる必要がないため、ＴＳ信号を途切らせることなく伝送遅延時間を変更することができる。このように伝送遅延時間の調整時においてもＴＳ信号が途切れないため、回線異常などで回線の遅延が変動した場合でも、運用中（放送中）に自動で遅延時間調整を行える。このため、ＳＦＮ網の復旧が迅速に行うことができる。
【００４６】
以上、本発明の実施例を詳細に説明したが、本発明は、代表的に例示した上述の実施例に限定されるものではなく、当業者であれば、特許請求の範囲の記載内容に基づき、本発明の要旨を逸脱しない範囲内で種々の態様に変形、変更することができる。これらの変形例や変更例も本発明の権利範囲に属するものである。
【産業上の利用可能性】
【００４７】
本発明は、地上デジタル放送送信システムの各送信所に配置される送信所システム内の遅延調整装置の用途に適用できる。
【図面の簡単な説明】
【００４８】
【図１】本発明の実施例に係るＴＳ信号伝送遅延時間調整装置の構成を示すブロック図である。
【図２】本発明の実施例に係るＴＳ信号伝送遅延時間調整装置の遅延調整動作を説明する図である。
【図３】（ａ）及び（ｂ）は、マイクロ波回線を使用した地上デジタル放送送信システムの一例を示すブロック図である。
【図４】（ａ）及び（ｂ）は、光回線を使用した地上デジタル放送送信システムの一例を示すブロック図である。
【図５】地上デジタル放送送信システムで用いる遅延調整装置の内部構成を示すブロック図である。
【図６】図５に示す遅延調整装置の遅延動作を説明する図である。
【図７】図５に示す遅延調整装置の遅延調整時の動作を説明する図である。
【符号の説明】
【００４９】
１０  遅延調整装置（ＴＳ信号伝送遅延時間調整装置）
１１  遅延時間調整用メモリ（遅延メモリ）
１２  ＰＬＬ回路（第１のクロック生成手段、第１のＰＬＬ回路）
１３  周波数設定機能付きＰＬＬ回路（第２のクロック生成手段、第２のＰＬＬ回路）
１４  周波数設定用制御回路（制御手段）
１１０  放送局本社（スタジオ）システム
１１１  Ｒｅ−ＭＵＸ装置
１１２  ６４ＱＡＭ変調器
１１３  送信変換器
１１４  送信アンテナ
１２０  送信所システム
１２１  受信アンテナ
１２２  受信変換器
１２３  ６４ＱＡＭ復調器
１２４  遅延調整装置
１２５  デジタルテレビ送信機
１２６  送信アンテナ
２１０  放送局本社（スタジオ）システム
２１１  Ｒｅ−ＭＵＸ装置
２１２  ６４ＱＡＭ変調器
２１３  Ｅ／Ｏ変換器（光端局）
２２０  送信所システム
２２１  Ｏ／Ｅ変換器（光端局）
２２２  ６４ＱＡＭ復調器
２２３  遅延調整装置
２２４  デジタルテレビ送信機
２２５  送信アンテナ
３００  遅延調整装置
３０１  遅延時間調整用メモリ
３０２  ＰＬＬ回路
【図１】
2008278151.tif 000003
【図２】
2008278151.tif 000004
【図３】
2008278151.tif 000005
【図４】
2008278151.tif 000006
【図５】
2008278151.tif 000007
【図６】
2008278151.tif 000008
【図７】
2008278151.tif 000009